(57)【要約】【課題】本発明は、ＢＢＵからＲＲＵへ送信される情報量を削減することを目的とする。【解決手段】本発明は、ＲＲＵに固定データを記憶しておき、ＢＢＵから受信した時変動データと加算し、無線信号として送信を行う。これにより、ＢＢＵからＲＲＵへ固定データを送る必要がなくなるため、ＢＢＵからＲＲＵへ送信される情報量を削減することができる。【選択図】図１
2014107656.tif 000002
【特許請求の範囲】
【請求項１】
複数の無線端末と無線信号を送受信する基地局の機能が信号処理装置（ＢＢＵ：ＢａｓｅＢａｎｄ  Ｕｎｉｔ）及び前記無線信号処理装置と光伝送路でＲｏＦ（Ｒａｄｉｏ  ｏｖｅｒ  Ｆｉｂｅｒ）伝送する無線装置（ＲＲＵ：Ｒｅｍｏｔｅ  Ｒａｄｉｏ  Ｕｎｉｔ）に分割されている分散型無線通信基地局システムであって、
前記ＲＲＵは、前記ＲＲＵから前記無線端末へ送信する情報のうちの時間的に変動しない固定データを保持するバッファ機能と、
前記ＲＲＵから前記無線端末へ送信する情報のうちの時間的に変動する時変動データでありかつ前記ＢＢＵから受信した時変動データと前記バッファ機能の保持する前記固定データを加算し、前記無線信号として前記無線端末に送信する無線信号送信機能と、を備え、
前記ＢＢＵは、前記ＲＲＵから前記無線端末へ送信する情報のうち前記固定データを除く前記時変動データを前記ＲＲＵへ送信する時変動データ送信機能を備える、
分散型無線通信基地局システム。
【請求項２】
前記バッファ機能は、複数の固定データを保持し、
前記時変動データ送信機能は、前記複数の固定データのうちのどの固定データを用いるかを示す制御信号を送信し、
前記無線信号送信機能は、前記バッファ機能の保持する前記複数の固定データのうちの前記制御信号に応じた固定データを、前記ＢＢＵからの前記時変動データと加算する
ことを特徴とする請求項１に記載の分散型無線通信基地局システム。
【請求項３】
前記制御信号は、新たな固定データ及び当該新たな固定データの書き込み命令を含み、
前記バッファ機能は、前記書き込み命令を受けると、保持する固定データを新たな固定データに更新する
ことを特徴とする請求項２に記載の分散型無線通信基地局システム。
【請求項４】
前記固定データは、全端末向けに送信されるセル固有参照信号を含むことを特徴とする請求項１から３のいずれかに記載の分散型無線通信基地局システム。
【請求項５】
請求項１から４のいずれかに記載の分散型無線通信基地局システムが備える無線装置。
【請求項６】
複数の無線端末と無線信号を送受信する基地局の機能がＢＢＵ及び前記ＢＢＵと光伝送路でＲｏＦ伝送するＲＲＵに分割されている分散型無線通信基地局の動作方法であって、
前記ＲＲＵから前記無線端末へ送信する情報のうち時間的に変動しない固定データを前記ＲＲＵが予め保持し、
前記ＲＲＵから前記無線端末へ送信する情報のうち前記固定データを除く時間的に変動する時変動データを、前記ＢＢＵから前記ＲＲＵへ送信する時変動データ送信手順と、
前記ＲＲＵにおいて、前記ＢＢＵからの前記時変動データと前記ＲＲＵの保持する前記固定データを加算し、前記無線信号として前記無線端末に送信する無線信号送信手順と、
を行うことを特徴とする分散型無線通信基地局システムの動作方法。
【発明の詳細な説明】
【技術分野】
【０００１】
セルラーシステムにおいて、セル構成の自由度を向上するため、基地局の機能を信号処理部（ＢＢＵ：ＢａｓｅＢａｎｄ  Ｕｎｉｔ）とＲＦ部（ＲＲＵ：Ｒｅｍｏｔｅ  Ｒａｄｉｏ  Ｕｎｉｔ）に分割して物理的に離れた構成とする事が検討されている。この時ＢＢＵ−ＲＲＵ間において無線信号はＲｏＦ（Ｒａｄｉｏ  ｏｖｅｒ  Ｆｉｂｅｒ）技術により光ファイバを通して伝送される。ＲｏＦ技術はアナログＲｏＦ技術とデジタルＲｏＦ技術に大別できるが、近年は伝送品質に優れたデジタルＲｏＦ技術の検討が盛んであり、ＣＰＲＩ（Ｃｏｍｍｏｎ  Ｐｕｂｌｉｃ  Ｒａｄｉｏ  Ｉｎｔｅｒｆａｃｅ）等の標準団体の下、使用策定が進められている（例えば、非特許文献１参照。）。
【０００２】
また、一つのＢＢＵが複数のＲＲＵを収容する事もできる。これにより、各ＲＲＵに必要なＢＢＵを一つに集約する事ができ、運用／設置コストの削減が可能となる。このような形態の一例として、図５に示すように、ＢＢＵ１１０−ＲＲＵ１２０間をＰＯＮ（Ｐａｓｓｉｖｅ  Ｏｐｔｉｃａｌ  Ｎｅｔｗｏｒｋ）１３０で接続する形態が提案されている。この方式では、ＯＬＴ（Ｏｐｔｉｃａｌ  Ｌｉｎｅ  Ｔｅｒｍｉｎａｌ）１４０−光スプリッタ間の帯域は一定であるが、光スプリッタ−ＯＮＵ（Ｏｐｔｉｃａｌ  Ｎｅｔｗｏｒｋ  Ｕｎｉｔ）１５０間の帯域はＯＮＵ１５０の所要帯域に合わせて変更する事ができる。ＰＯＮ１３０の信号多重方法としては、ＴＤＭ、ＷＤＭ、ＦＤＭ等が採用できる。本発明の適用領域は図５に限定されるものではなく、ＢＢＵ１１０が１つ以上のＲＲＵ１２０を収容する場合に適用できる。
【０００３】
本発明は、ＢＢＵ１１０からＲＲＵ１２０へ送信する情報量の削減技術に関する。
【背景技術】
【０００４】
ＬＴＥ（Ｌｏｎｇ  Ｔｅｒｍ  Ｅｖｏｌｕｔｉｏｎ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等のセルラーシステムにおいて、端末がユーザデータを送受信するためには、端末固有の通信チャネル（無線帯域）が必要である。この無線帯域の割当は基地局により行われる。ＬＴＥシステムを例に取ると、図６に示すよう、基地局は最小１ｍｓ周期でスケジューリングを行い各端末へ無線帯域割当を行う。
【０００５】
無線帯域割当はリソースブロック（ＲＢ：Ｒｅｓｏｕｒｃｅ  Ｂｌｏｃｋ）単位で行われ、１ＲＢは１８０ｋＨｚ、０．５ｍｓである。システム帯域幅が２０ＭＨｚの場合には、周波数軸上に１１０個のＲＢが存在する。また１ＲＢの中には、通常のサイクリックプレフィックスを想定すると、７シンボル（サイクリックプレフィックスを入れて１シンボル７１．４μｓ）が挿入されている。
【０００６】
一方基地局が端末へ送信する信号には、各端末向けのユーザデータだけでなく、制御情報（スケジューリング情報やＡＣＫ／ＮＡＣＫ判定結果等）、端末がチャネル推定を行うための参照信号（全端末向けに送信されるセル固有参照信号や、個別の端末向けに送信されるＵＥ固有参照信号等がある）、各端末が基地局と同期を取るための同期信号等が送信される。ここで、ユーザデータや制御情報に含まれる情報は時間に応じて変動するが、参照信号や同期信号に含まれる情報は通常固定的に使用されるパラメータ（基地局のセルＩＤ等）によって決まるため、時間に応じて変動せず常に同じである。
【０００７】
また、参照信号や同期信号の送信に利用される無線帯域の周波数位置も固定である。そこで以後は基地局から端末へ送信する信号を、時間に応じて含まれる情報が変動する時変動データと、常に含まれる情報が同じである固定データの２種類に大別する。図６では空間多重数が１の時のＲＢに対する参照信号の挿入位置の一例が示されている。
【０００８】
以後、ＢＢＵ１１０−ＲＲＵ１２０間のデジタルＲｏＦ伝送技術を関連技術と呼ぶ。また、ＢＢＵ１１０で作成した無線信号のＩ軸Ｑ軸ごとのデジタル信号（ＩＱデータ）を光信号に変換してＲＲＵ１２０へ伝送し、ＲＲＵ１２０で受信した光信号を無線信号に変換して、端末へと送信するリンクを下りリンクと呼ぶ。一方、端末が送信した無線変調信号をＲＲＵ１２０で受信し、受信した無線信号を光信号に変換してＢＢＵ１１０へ伝送し、ＢＢＵ１１０で受信した光信号をＩＱデータに変換して信号の復調を行うリンクを上りリンクと呼ぶ。
【０００９】
本発明に関連するＲＲＵ１２０の装置構成例を図７に示す。ＲＲＵ１２０は上りリンクのため、無線信号の送／受信を行うアンテナと、送信／受信を切り替える送受切替部１２と、受信した無線信号の信号電力を信号処理ができるレベルまで増幅する増幅器２１と、無線信号をダウンコンバートするダウンコンバート部２２と、ダウンコンバートされたアナログ信号をＩＱデータに変換するＡ／Ｄ変換部２３と、ＩＱデータに対してフィルタリング処理を行うベースバンドフィルタ部（上り）２４と、ＩＱデータ及びＲｏＦ区間での制御信号を多重するフレーム変換部２５と、電気信号を光信号に変換して送信するＥ／Ｏ変換部２６とを有する。送受切替部１２は、ＦＤＤ（Ｆｒｅｑｕｅｎｃｙ  Ｄｉｖｉｓｉｏｎ  Ｄｕｐｌｅｘ）と、ＴＤＤ（Ｔｉｍｅ  Ｄｉｖｉｓｉｏｎ  Ｄｕｐｌｅｘ）のどちらにも対応できる。
【００１０】
またＲＲＵ１２０は下りリンクのため、ＢＢＵ１１０から受信した光信号を電気信号に変換するＯ／Ｅ変換部３１と、受信信号からＲｏＦ区間での制御信号及びＩＱデータを取り出すフレーム変換部３２と、ＩＱデータに対してフィルタリング処理を行うベースバンドフィルタ部（下り）３３と、ＩＱデータをアナログ信号に変換するＤ／Ａ変換部３４と、アナログ信号をアップコンバートするアップコンバート部３５と、電力を決められた送信電力まで増幅する増幅器３６と、送受切替部１２とアンテナ１１とを有する。
【００１１】
本発明に関連するＢＢＵ１１０の装置構成例を図８に示す。ＢＢＵ１１０は下りリンクのため、時変動データに対して一次変調を行う一次変調部３１２と、固定データに対して一次変調を行う一次変調部３１１と、一次変調された時変動データ及び一次変調された固定データを多重する多重部３１３と、多重された一次変調信号を二次変調する二次変調部３１４と、二次変調部３１４により出力されるＩＱデータ及びＲｏＦ区間での制御信号を多重するフレーム変換部５１と、電気信号を光信号に変換して送信するＥ／Ｏ変換部５２とを有する。ここで、一次変調はＱＰＳＫ、１６ＱＡＭ等のシンボルマッピングであり、二次変調はＣＤＭＡ変調のための拡散やＯＦＤＭ変調のためのＩＦＦＴと考える事ができる。また、二次変調が存在せず一次変調のみ存在する場合もありえる。また多重部３１３は周波数領域での多重または時間領域での多重等を行う。この際多重される信号の周波数位置または時間位置は、スケジューラで決定される。
【００１２】
またＢＢＵ１１０は上りリンクのため、光信号を電気信号に変換するＯ／Ｅ変換部４１と、受信信号からＲｏＦ区間での制御信号及びＩＱデータを取り出すフレーム変換部４２と、ＩＱデータに対して二次復調を行う二次復調部３２４と、二次復調された信号を一次変調された時変動データ及び一次変調された固定データに分離する分離部３２３と、分離された時変動データを一次復調する一次復調部３２２と、分離された固定データを一次復調する一次復調部３２１とを有する。ここで二次復調とは、二次変調部３１４がＩＦＦＴ処理を行う場合にはＦＦＴ処理、二次変調部３１４が拡散処理を行う場合は逆拡散処理を指す。一次復調とは、一次変調されたＱＰＳＫ，１６ＱＡＭ等のシンボルに対して硬判定／軟判定を行う処理を指す。
【００１３】
また、二次変調部３１４が存在しない場合は、二次復調部３２４も存在しない。二次変調部３２４がマッピングの動作を含み、信号を所定の無線帯域へ割り当てても良い。この時、二次復調部３２４はデマッピングの動作を含み、所定の無線帯域から信号を取り出す。
【先行技術文献】
【非特許文献】
【００１４】
【非特許文献１】ＣＰＲＩ，“ＣＰＲＩ  Ｓｐｅｃｉｆｉｃａｔｉｏｎ  Ｖ５．０，”  Ｓｅｐ．，  ２０１１，  ｈｔｔｐ：／／ｗｗｗ．ｃｐｒｉ．ｉｎｆｏ／ｓｐｅｃ．ｈｔｍｌ
【発明の概要】
【発明が解決しようとする課題】
【００１５】
関連技術においては、時変動データも固定データも両方ともＢＢＵからＲＲＵへ伝送される。しかし、固定データに含まれる情報は常に同じであるため、同じ情報をＢＢＵからＲＲＵへ伝送している事となり、ＢＢＵ−ＲＲＵ間の帯域を無駄に利用している可能性がある。
【００１６】
本発明は、ＢＢＵからＲＲＵへ送信される情報量を削減することを目的とする。
【課題を解決するための手段】
【００１７】
上記目的を解決する為に、本発明は、ＲＲＵに固定データを記憶しておき、ＢＢＵから受信した時変動データと加算し、無線信号として送信を行う。これにより、ＢＢＵからＲＲＵへ固定データを送る必要がなくなるため、ＢＢＵからＲＲＵへ送信される情報量を削減することができる。
【００１８】
具体的には、本発明の分散型無線通信基地局システムは、
複数の無線端末と無線信号を送受信する基地局の機能が信号処理装置（ＢＢＵ：ＢａｓｅＢａｎｄ  Ｕｎｉｔ）及び前記無線信号処理装置と光伝送路でＲｏＦ（Ｒａｄｉｏ  ｏｖｅｒ  Ｆｉｂｅｒ）伝送する無線装置（ＲＲＵ：Ｒｅｍｏｔｅ  Ｒａｄｉｏ  Ｕｎｉｔ）に分割されている分散型無線通信基地局システムであって、
前記ＲＲＵは、前記ＲＲＵから前記無線端末へ送信する情報のうちの時間的に変動しない固定データを保持するバッファ機能と、
前記ＲＲＵから前記無線端末へ送信する情報のうちの時間的に変動する時変動データでありかつ前記ＢＢＵから受信した時変動データと前記バッファ機能の保持する前記固定データを加算し、前記無線信号として前記無線端末に送信する無線信号送信機能と、を備え、
前記ＢＢＵは、前記ＲＲＵから前記無線端末へ送信する情報のうち前記固定データを除く前記時変動データを前記ＲＲＵへ送信する時変動データ送信機能
を備える。
【００１９】
また、本発明の分散型無線通信基地局システムの動作方法は、
複数の無線端末と無線信号を送受信する基地局の機能がＢＢＵ及び前記ＢＢＵと光伝送路でＲｏＦ伝送するＲＲＵに分割されている分散型無線通信基地局の動作方法であって、
前記ＲＲＵから前記無線端末へ送信する情報のうち時間的に変動しない固定データを前記ＲＲＵが予め保持し、
前記ＲＲＵから前記無線端末へ送信する情報のうち前記固定データを除く時間的に変動する時変動データを、前記ＢＢＵから前記ＲＲＵへ送信する時変動データ送信手順と、
前記ＲＲＵにおいて、前記ＢＢＵからの前記時変動データと前記ＲＲＵの保持する前記固定データを加算し、前記無線信号として前記無線端末に送信する無線信号送信手順と、
を行う。
【００２０】
本発明に係る分散型無線通信基地局システムでは、
前記固定データは、全端末向けに送信されるセル固有参照信号を含む。
【００２１】
また、本発明の無線装置は、前記分散型無線通信基地局システムが備えるＲＲＵである。
【００２２】
本発明に係る分散型無線通信基地局システムは、ＲＲＵから無線端末へ送信する情報のうち時間的に変動しない固定データを保持するバッファ機能と、ＲＲＵから無線端末へ送信する情報のうち固定データを除く時変動データをＲＲＵへ送信する時変動データ送信機能と、ＢＢＵからの時間的に変動する時変動データとバッファ機能の保持する固定データを加算し、無線信号として無線端末に送信する無線信号送信機能を備える。
これにより、ＢＢＵからＲＲＵへ固定データを送る必要がなくなることで、送信する情報量を削減することができるため、ＢＢＵ−ＲＲＵ間の下りリンクにおける所要帯域を減少することができる。
【００２３】
また、本発明の分散型無線通信基地局システムでは、
前記バッファ機能は、複数の固定データを保持し、
前記時変動データ送信機能は、前記複数の固定データのうちのどの固定データを用いるかを示す制御信号を送信し、
前記無線信号送信機能は、前記バッファ機能の保持する前記複数の固定データのうちの前記制御信号に応じた固定データを、前記ＢＢＵからの前記時変動データと加算してもよい。
【００２４】
また、本発明の分散型無線通信基地局システムでは、
前記制御信号は、新たな固定データ及び当該新たな固定データの書き込み命令を含み、
前記バッファ機能は、前記書き込み命令を受けると、保持する固定データを新たな固定データに更新してもよい。
【００２５】
なお、上記各発明は、可能な限り組み合わせることができる。
【発明の効果】
【００２６】
本発明によれば、ＢＢＵからＲＲＵへ送信する情報量が減少するため、ＢＢＵ−ＲＲＵ間の下りリンクにおける所要帯域を減少することができる。
【図面の簡単な説明】
【００２７】
【図１】実施形態１に係る無線装置を説明する図である。
【図２】実施形態１に係る信号処理装置を説明する図である。
【図３】本発明適用時のＬＴＥシステムの動作を説明する図である。
【図４】実施形態２に係る無線装置を説明する図である。
【図５】本発明に関連する無線装置と信号処理装置の構成を説明する図である。
【図６】ＬＴＥシステムの無線帯域割当手法を説明する図である。
【図７】本発明に関連する無線装置を説明する図である。
【図８】本発明に関連する信号処理装置を説明する図である。
【発明を実施するための形態】
【００２８】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２９】
（実施形態１）
本実施形態に係る分散型無線通信基地局システムは、複数の無線端末１０１と無線信号を送受信する基地局の機能がＢＢＵ１１０及びＲＲＵ１２０に分割されている。ＲＲＵ１２０とＢＢＵ１１０は、光伝送路でＲｏＦ伝送する。
【００３０】
本実施形態に係る分散型無線通信基地局システムの動作方法は、時変動データ送信手順、無線信号送信手順を順に有する。ＲＲＵ１２０は、バッファ機能と、無線信号送信手順を実行する無線信号送信機能と、を備える。ＢＢＵ１１０は、時変動データ送信手順を実行する時変動データ送信機能を備える。
【００３１】
バッファ機能は、ＲＲＵ１２０から無線端末１０１へ送信する情報のうち時間的に変動しない固定データを保持する。また、無線信号送信機能は、ＢＢＵ１１０からの時間的に変動する時変動データとバッファ機能の保持する固定データを加算し、無線信号として無線端末１０１に送信する。時変動データ送信機能は、ＲＲＵ１２０から無線端末１０１へ送信する情報のうち固定データを除く時変動データをＲＲＵ１２０へ送信する。
【００３２】
本発明適用時のＲＲＵ１２０の装置構成例を図１に示す。ＲＲＵ１２０は、バッファ機能を実現する為にバッファ３３１を備え、無線信号送信機能を実現する為に加算器３３４を備える。ＲＲＵ１２０の上りリンクの構成は関連技術と同じである。一方ＲＲＵ１２０は下りリンクのために、ＢＢＵ１１０から受信した光信号を電気信号に変換するＯ／Ｅ変換部３１と、受信信号からＲｏＦ区間での制御信号及びＩＱデータを取り出すフレーム変換部３２と、ＲｏＦ区間での制御信号を基に固定データのＩＱデータを出力制御する出力制御部３３２と、固定データのＩＱデータを保存し出力制御部３３２の出力命令を受けた際に保存した固定データのＩＱデータを出力するバッファ３３１と、バッファ３３１の出力とＩＱデータを加算する加算器３３４と、加算器３３４からの信号に対してフィルタリング処理を行うフィルタバンク部（下り）３３と、ＩＱデータをアナログ信号に変換するＤ／Ａ変換部３４と、アナログ信号をアップコンバートするアップコンバート部３５と、無線信号の電力を増幅する増幅器３６とを有する。
【００３３】
本発明適用時のＢＢＵ１１０の装置構成例を図２に示す。ＢＢＵ１１０は、時変動データ送信機能を実現する為にフレーム変換部５１と、Ｅ／Ｏ変換部５２と、を備える。ＢＢＵ１１０の上りリンクの構成は、関連技術と同じである。一方ＢＢＵ１１０は下りリンクのため、時変動データを一次変調する一次変調部３１２と、一次変調された信号を二次変調する二次変調部３１４と、二次変調部３１４より出力された時変動データのＩＱデータとＲｏＦ区間での制御信号を多重するフレーム変換部５１と、電気信号を光信号に変換して送信するＥ／Ｏ変換部５２とを有する。このように、関連技術と異なり、ＢＢＵ１１０からＲＲＵ１２０へ送信するのは時変動データであり、ＢＢＵ１１０は固定データのＩＱデータをＲＲＵ１２０に対して送信しない。
【００３４】
図３に、ＬＴＥシステムへ本発明を適用した際の動作例を示す。ＢＢＵ１１０からは時変動データのみが送信されるため、関連技術と比べてＢＢＵ１１０からＲＲＵ１２０へ送信される情報量が低下する。図３のように、制御情報を送信した後に送信すべきユーザデータが無い場合は、その区間においてＢＢＵ１１０はＲＲＵ１２０へ信号を送る必要が無いため、ＢＢＵ１１０−ＲＲＵ１２０間の帯域を使用する必要が無く、ＢＢＵ１１０−ＲＲＵ１２０間の帯域を有効利用できる。この時変動データを受信したＲＲＵ１２０は、ＲＲＵ１２０のバッファ３３１より出力される固定データと時変動データを加算して送信する。
【００３５】
ＢＢＵ１１０が固定データを送信しないため、無線信号の使用周波数帯域幅が削減される。このため、ＢＢＵ１１０からＲＲＵ１２０へ信号を送信する際のサンプリング周波数を落として送信する情報量を削減する事もできる。
【００３６】
ＲＲＵ１２０のバッファ３３１は複数の固定データ（固定データ＃１、固定データ＃２、…）を有する事もできる。この時、ＢＢＵ１１０がどの固定データをＲＲＵ１２０に出力させるかを決定し、選択した固定データを出力する命令をＲｏＦ区間での制御信号に載せてＲＲＵ１２０へ伝送する。ＲＲＵ１２０は、ＲｏＦ区間での制御信号からどの固定データを出力するかを認識し、バッファ３３１に対して出力命令を出す。
【００３７】
また、ＲＲＵ１２０のバッファ３３１に保存されている固定データを書き換える事も可能である。固定データを書き換える必要が生じた際は、ＢＢＵ１１０が新たな固定データと固定データを書き換える命令をＲｏＦ区間での制御信号に載せ、ＲＲＵ１２０へ伝送する。ＲＲＵ１２０は、ＲｏＦ区間での制御信号から新たな固定データを取り出し、バッファ３３１内の固定データを書き換える。
【００３８】
ＲＲＵ１２０のバッファ３３１内の固定データは、ＲＲＵ１２０の電源を入れた時点である固定データが保存されているように設定しておいても良い。ＲＲＵ１２０の電源を入れた時点でＲＲＵ１２０のバッファ３３１に固定データが保存されていない場合は、ＲｏＦ区間での制御信号を用いてＢＢＵ１１０からＲＲＵ１２０へ固定データの情報を送る必要がある。
【００３９】
（実施形態２）
実施形態２では、ＢＢＵ１１０は一度だけ固定データをＲＲＵ１２０へ伝送し、以後ＲＲＵ１２０はその固定データを記憶して使用する。これにより、新たな固定データをＢＢＵ１１０からＲＲＵ１２０へ通知する際、実施形態１ではＢＢＵ１１０がＲｏＦ区間での制御信号に載せてＲＲＵ１２０へ伝送するが、実施形態２ではＲｏＦ区間での制御信号に固定データを載せずに通知が可能となる。
【００４０】
実施形態２適用時のＲＲＵ１２０の装置構成を図４に示す。実施形態１と異なり、ＲＲＵ１２０は下りリンクのために固定データ抽出部３３３を有する。固定データ抽出部３３３は、受信したＩＱデータの中から固定データを取り出して出力し、出力した固定データはバッファ３３１に記憶される。固定データ抽出部３３３はＢＢＵ１１０から固定データが送信される場合のみ動作し、その動作タイミングはＲｏＦ区間での制御信号により通知される。固定データがマッピングされている無線帯域の時間軸上／周波数軸上の位置は、予め固定データ抽出部３３３が記憶しておいても良いし、ＲｏＦ区間での制御信号を用いてＢＢＵ１１０から固定データ抽出部３３３へ通知しても良い。
【００４１】
実施形態２適用時のＢＢＵ１１０の装置構成は、関連技術の装置構成と同じである。ただし固定データの一次変調部３１２は、固定データの初回送関連信時、または固定データの書き換えタイミング時のみ動作し、その後は動作せず何も出力しない。
【００４２】
前記ＢＢＵと前記ＲＲＵ間に、下りリンクの信号から固定データを除去する機能を持つアダプタを付加しても良い。この場合は、前記ＢＢＵで固定データを除去する必要がないため、既存のＢＢＵを用いて本発明を実施できる。
【００４３】
また、前記ＢＢＵと前記ＲＲＵ間に、下りリンクの信号に固定データを加算する機能を持つアダプタを付加しても良い。この場合は、前記ＲＲＵで固定データを加算する必要がないため、既存のＲＲＵを用いて本発明を実施できる。
【産業上の利用可能性】
【００４４】
本発明は情報通信産業に適用することができる。
【符号の説明】
【００４５】
１１：アンテナ
１２：送受切替部
２１、３６：増幅器
２２：ダウンコンバート部
２３：Ａ／Ｄ変換部
２４：ベースバンドフィルタ部（上り）
３２、４２：フレーム変換部
２６：Ｅ／Ｏ変換部
３１、４１：Ｏ／Ｅ変換部
３３：ベースバンドフィルタ部（下り）
３４：Ｄ／Ａ変換部
３５：アップコンバート部
１０１：無線端末
１１０：ＢＢＵ
１２０：ＲＲＵ
１３０：ＰＯＮシステム
１４０：ＯＬＴ
１５０：ＯＮＵ
３１１、３１２：一次変調部
３１３：多重部
３１４：二次変調部
３２１、３２２：二次復調部
３２３：分離部
３２４：二次複調部
３３１：バッファ
３３２：出力制御部
３３３：固定データ抽出部
３３４：加算器
【図１】
2014107656.tif 000003
【図２】
2014107656.tif 000004
【図３】
2014107656.tif 000005
【図４】
2014107656.tif 000006
【図５】
2014107656.tif 000007
【図６】
2014107656.tif 000008
【図７】
2014107656.tif 000009
【図８】
2014107656.tif 000010